(57)【要約】【課題】設定された各目標が達成される確率をより向上させることができるＡ／Ｂテストの測定方法、測定管理システム及び測定管理プログラムを提供する。【解決手段】表示内容が切り替えられることにより達成される目標の内容を目標設定処理部１１２により設定し、表示内容割当処理部１１３が設定された目標ごとに複数種類の表示内容を割り当てる。各目標に割り当てられた各表示内容がユーザの選択操作の統計に基づいて自動で切り替えられることにより目標が達成された確率が、目標達成結果として目標ごとに対応付けて目標達成結果記憶部１４に記憶される。これにより、各目標を達成するために最適な表示内容を目標ごとに分析することができるため、その分析結果に基づいて表示内容を選択することにより、設定された各目標が達成される確率をより向上させることができる。【選択図】  図１
2015225361.tif 000002
【特許請求の範囲】
【請求項１】
Ａ／Ｂテストを自動で行うためのＡ／Ｂテストの測定管理システムであって、
表示部と、
前記表示部に表示内容を表示させるとともに、ユーザの選択操作の統計に基づいて前記表示部に表示させる表示内容を自動で切り替える表示処理部と、
前記表示内容が切り替えられることにより達成される目標の内容を設定する目標設定処理部と、
設定された目標ごとに複数種類の表示内容を割り当てる表示内容割当処理部と、
各目標に割り当てられた各表示内容がユーザの選択操作の統計に基づいて自動で切り替えられることにより目標が達成された確率を、目標達成結果として目標ごとに対応付けて記憶する目標達成結果記憶部とを備えたことを特徴とするＡ／Ｂテストの測定管理システム。
【請求項２】
前記目標達成結果記憶部に記憶されている目標達成結果に基づいて、前記複数種類の表示内容が前記表示部に表示される頻度を目標ごとに変更する表示頻度変更処理部をさらに備えたことを特徴とする請求項１に記載のＡ／Ｂテストの測定管理システム。
【請求項３】
前記表示頻度変更処理部は、目標が達成される確率が高い表示内容が前記表示部に表示される頻度を高く設定することを特徴とする請求項２に記載のＡ／Ｂテストの測定管理システム。
【請求項４】
前記目標達成結果記憶部に記憶されている目標達成結果を目標ごとに出力する目標達成結果出力処理部をさらに備えたことを特徴とする請求項１〜３のいずれかに記載のＡ／Ｂテストの測定管理システム。
【請求項５】
前記表示内容は、複数のモジュールが組み合わせられたものであり、
前記目標達成結果記憶部には、それぞれ異なるモジュールが組み合わせられた複数種類の表示内容ごとの目標達成結果、及び、複数のモジュールごとの目標達成結果の少なくとも一方が記憶されていることを特徴とする請求項１〜４のいずれかに記載のＡ／Ｂテストの測定管理システム。
【請求項６】
前記表示部を有するユーザ端末を外部に備え、
前記表示処理部は、前記ユーザ端末におけるユーザの選択操作の統計に基づいて、前記表示部に表示させる表示内容を自動で切り替えることを特徴とする請求項１〜５のいずれかに記載のＡ／Ｂテストの測定管理システム。
【請求項７】
Ａ／Ｂテストを自動で行うためのＡ／Ｂテストの測定方法であって、
表示部に表示内容を表示させるとともに、ユーザの選択操作の統計に基づいて前記表示部に表示させる表示内容を自動で切り替える表示ステップと、
前記表示内容が切り替えられることにより達成される目標の内容を設定する目標設定ステップと、
設定された目標ごとに複数種類の表示内容を割り当てる表示内容割当ステップと、
各目標に割り当てられた各表示内容がユーザの選択操作の統計に基づいて自動で切り替えられることにより目標が達成された確率を、目標達成結果として目標ごとに対応付けて記憶する目標達成結果記憶ステップとを含むことを特徴とするＡ／Ｂテストの測定方法。
【請求項８】
Ａ／Ｂテストを自動で行うためのＡ／Ｂテストの測定管理プログラムであって、
表示部に表示内容を表示させるとともに、ユーザの選択操作の統計に基づいて前記表示部に表示させる表示内容を自動で切り替える表示ステップと、
前記表示内容が切り替えられることにより達成される目標の内容を設定する目標設定ステップと、
設定された目標ごとに複数種類の表示内容を割り当てる表示内容割当ステップと、
各目標に割り当てられた各表示内容がユーザの選択操作の統計に基づいて自動で切り替えられることにより目標が達成された確率を、目標達成結果として目標ごとに対応付けて記憶する目標達成結果記憶ステップとをコンピュータに実行させることを特徴とするＡ／Ｂテストの測定管理プログラム。
【発明の詳細な説明】
【技術分野】
【０００１】
本発明は、Ａ／Ｂテストを自動で行うためのＡ／Ｂテストの測定方法及び測定管理システムに関するものである。
【背景技術】
【０００２】
例えばウェブページやアプリケーションソフトにより表示される画面などといった表示部に対する各種表示内容には、例えば商品の購入、資料請求、データのダウンロード又は会員登録などの各種目標を達成するために、ユーザが選択可能なボタンが設けられている場合がある。ユーザは、表示内容を閲覧した上で、必要に応じてボタンの選択操作を行う。このとき、ユーザによりボタンが選択されて目標が達成される確率は、表示内容のデザインなどに応じて変化するため、ユーザの好みに合った表示内容とすることにより確率を向上することができる。
【０００３】
そこで、ユーザによる選択操作のデータに基づいてユーザの好みを分析し、ユーザの好みに合った表示内容の表示頻度を高めることにより、目標が達成される確率を向上させるようなシステムが提案されている（例えば、下記特許文献１参照）。このようなシステムでは、複数種類の表示内容の中から選択された１つ又は複数の表示内容の表示頻度が高められる。
【先行技術文献】
【特許文献】
【０００４】
【特許文献１】特開２００３−２１６６０８号公報
【発明の概要】
【発明が解決しようとする課題】
【０００５】
しかしながら、上記のような従来のシステムでは、目標ごとにユーザの好みを分析することができない。すなわち、目標ごとに、その目標が達成される確率が高い表示内容は異なるにもかかわらず、各目標を達成するために最適な表示内容に関するデータを分析し、各目標が達成される確率を向上させることができない。
【０００６】
特に、表示内容が複数のモジュール（ボタンや文字など）により構成されている場合には、それらのモジュールの組み合わせや、特有のモジュールの存在などによって、予期せぬ高確率で目標が達成される場合もある。そのため、目標ごとにデータを分析することができれば、各目標が達成される確率をより向上させることも可能になる。
【０００７】
本発明は、上記実情に鑑みてなされたものであり、設定された各目標が達成される確率をより向上させることができるＡ／Ｂテストの測定方法、測定管理システム及び測定管理プログラムを提供することを目的とする。
【課題を解決するための手段】
【０００８】
本発明に係るＡ／Ｂテストの測定管理システムは、Ａ／Ｂテストを自動で行うためのＡ／Ｂテストの測定管理システムであって、表示部と、表示処理部と、目標設定処理部と、表示内容割当処理部と、目標達成結果記憶部とを備える。前記表示処理部は、前記表示部に表示内容を表示させるとともに、ユーザの選択操作の統計に基づいて前記表示部に表示させる表示内容を自動で切り替える。前記目標設定処理部は、前記表示内容が切り替えられることにより達成される目標の内容を設定する。前記表示内容割当処理部は、設定された目標ごとに複数種類の表示内容を割り当てる。前記目標達成結果記憶部は、各目標に割り当てられた各表示内容がユーザの選択操作の統計に基づいて自動で切り替えられることにより目標が達成された確率を、目標達成結果として目標ごとに対応付けて記憶する。
【０００９】
このような構成によれば、設定された目標ごとに複数種類の表示内容を割り当て、それぞれの目標が達成された確率を目標達成結果として得ることができる。これにより、各目標を達成するために最適な表示内容を目標ごとに分析することができるため、その分析結果に基づいて表示内容を選択することにより、設定された各目標が達成される確率をより向上させることができる。
【００１０】
前記Ａ／Ｂテストの測定管理システムは、前記目標達成結果記憶部に記憶されている目標達成結果に基づいて、前記複数種類の表示内容が前記表示部に表示される頻度を目標ごとに変更する表示頻度変更処理部をさらに備えていてもよい。前記表示頻度変更処理部は、目標が達成される確率が高い表示内容が前記表示部に表示される頻度を高く設定することが好ましい。
【００１１】
このような構成によれば、得られた目標達成結果に基づいて、各目標が達成される確率が高い表示内容を選択し、その表示内容が表示部に表示される頻度を高く設定することができる。したがって、目標ごとに特定の表示内容の表示頻度を変更することにより、設定された各目標が達成される確率を効果的に向上させることができる。
【００１２】
前記Ａ／Ｂテストの測定管理システムは、前記目標達成結果記憶部に記憶されている目標達成結果を目標ごとに出力する目標達成結果出力処理部をさらに備えていてもよい。
【００１３】
このような構成によれば、出力された目標達成結果を目標ごとに確認することにより、各目標を達成するために最適な表示内容を目標ごとに容易に分析することができる。したがって、分析結果に基づいて、目標ごとに特定の表示内容の表示頻度を変更すれば、設定された各目標が達成される確率を効果的に向上させることができる。
【００１４】
前記表示内容は、複数のモジュールが組み合わせられたものであってもよい。この場合、前記目標達成結果記憶部には、それぞれ異なるモジュールが組み合わせられた複数種類の表示内容ごとの目標達成結果、及び、複数のモジュールごとの目標達成結果の少なくとも一方が記憶されていてもよい。
【００１５】
このような構成によれば、複数のモジュールが組み合わされた表示内容についての目標達成結果を得ることができる。このとき、それぞれ異なるモジュールが組み合わせられた複数種類の表示内容ごとに目標達成結果が得られる場合には、最適な表示内容を表示内容単位で分析することができる。
【００１６】
一方、複数のモジュールごとに目標達成結果が得られる場合には、最適な表示内容をモジュール単位で分析することができる。この場合、共通のモジュールを含む表示内容については、他のモジュールが異なる場合であっても、その共通のモジュールごとに目標達成結果が得られるため、各モジュールが目標の達成に与える影響を精度よく分析することができる。
【００１７】
前記Ａ／Ｂテストの測定管理システムは、前記表示部を有するユーザ端末を外部に備えていてもよい。この場合、前記表示処理部は、前記ユーザ端末におけるユーザの選択操作の統計に基づいて、前記表示部に表示させる表示内容を自動で切り替えてもよい。例えば、スマートフォンなどの携帯情報端末に組み込まれた表示部に対して、当該携帯情報端末からのアクセスに基づいて表示内容を表示させ、設定された目標が達成されたときには、その旨の信号を携帯情報端末から自動で送信させるような構成であってもよい。
【００１８】
本発明に係るＡ／Ｂテストの測定方法は、Ａ／Ｂテストを自動で行うためのＡ／Ｂテストの測定方法であって、表示ステップと、目標設定ステップと、表示内容割当ステップと、目標達成結果記憶ステップとを含む。前記表示ステップでは、表示部に表示内容を表示させるとともに、ユーザの選択操作の統計に基づいて前記表示部に表示させる表示内容を自動で切り替える。前記目標設定ステップでは、前記表示内容が切り替えられることにより達成される目標の内容を設定する。前記表示内容割当ステップでは、設定された目標ごとに複数種類の表示内容を割り当てる。前記目標達成結果記憶ステップでは、各目標に割り当てられた各表示内容がユーザの選択操作の統計に基づいて自動で切り替えられることにより目標が達成された確率を、目標達成結果として目標ごとに対応付けて記憶する。
【００１９】
本発明に係るＡ／Ｂテストの測定管理プログラムは、Ａ／Ｂテストを自動で行うためのＡ／Ｂテストの測定管理プログラムであって、前記表示ステップと、前記目標設定ステップと、前記表示内容割当ステップと、前記目標達成結果記憶ステップとをコンピュータに実行させる。
【発明の効果】
【００２０】
本発明によれば、各目標を達成するために最適な表示内容を目標ごとに分析することができるため、その分析結果に基づいて表示内容を選択することにより、設定された各目標が達成される確率をより向上させることができる。
【図面の簡単な説明】
【００２１】
【図１】本発明の一実施形態に係るＡ／Ｂテストの測定管理システムの構成例を示したブロック図である。
【図２】目標達成結果を目標ごとに表示部に表示させる際の態様の一例を示した図である。
【図３】目標達成結果を目標ごとに表示部に表示させる際の態様の他の例を示した図である。
【図４】モジュールごとに目標達成結果を分析する際の態様について説明するための図である。
【図５】目標を設定する際の制御部による処理の一例を示したフローチャートである。
【図６】ユーザ端末の表示部に表示させる表示内容を切り替える際の制御部による処理の一例を示したフローチャートである。
【発明を実施するための形態】
【００２２】
図１は、本発明の一実施形態に係るＡ／Ｂテストの測定管理システムの構成例を示したブロック図である。本実施形態に係るＡ／Ｂテストの測定管理システムは、複数種類の表示内容の中から最適な表示内容を分析するためのＡ／Ｂテストを自動で行うシステムである。この測定管理システムには、ネットワークＮを介して互いに接続されたサーバ１及び複数のユーザ端末２が備えられている。本実施形態に係るＡ／Ｂテストの測定管理システムは、例えばウェブページやアプリケーションソフトにより表示される画面などといった各種表示内容を表示させるためのシステムであり、各ユーザ端末２におけるユーザの選択操作に基づいて、サーバ１から外部の各ユーザ端末２に表示内容が自動で送信される。
【００２３】
サーバ１は、例えばコンピュータにより構成されており、制御部１１、表示内容記憶部１２、表示内容割当記憶部１３、目標達成結果記憶部１４、操作部１５及び表示部１６などを備えている。表示内容記憶部１２、表示内容割当記憶部１３及び目標達成結果記憶部１４は、１つ又は複数のメモリにより構成され、例えばハードディスク又はＲＡＭ（Random Access Memory）などにより構成することができる。
【００２４】
サーバ１は、表示内容を用いて商品やサービスを提供する提供者によって管理される。提供者は、操作部１５を操作することにより、サーバ１に対する設定操作を行ったり、サーバ１に記憶されているデータを変更したりすることができる。ただし、サーバ１を管理者が管理し、提供者が提供者端末からネットワークＮを介してサーバ１にアクセスすることにより、サーバ１に対する設定操作を行ったり、サーバ１に記憶されているデータを変更したりすることができるような構成であってもよい。
【００２５】
各ユーザ端末２は、例えばコンピュータ又は携帯情報端末により構成されており、制御部２１、操作部２２、表示部２３及び記憶部２４などを備えている。ユーザは、表示部２３の表示内容を確認しながら操作部２２を操作することにより、表示内容のデータをサーバ１から受信し、表示部２３の表示内容を切り替えることができる。記憶部２４は、例えばハードディスク又はＲＡＭなどにより構成され、制御部２１の処理に必要なデータなどが記憶される。
【００２６】
サーバ１の制御部１１は、例えばＣＰＵ（Central Processing Unit）を含む構成である。制御部１１は、ＣＰＵがプログラムを実行することにより、表示処理部１１１、目標設定処理部１１２、表示内容割当処理部１１３、分析処理部１１４、表示頻度変更処理部１１５及び目標達成結果出力処理部１１６などとして機能する。
【００２７】
表示処理部１１１は、各ユーザ端末２の表示部２３に表示内容を表示させる処理を行う。表示内容は、表示内容記憶部１２に記憶されており、各ユーザ端末２における操作部２２の操作に基づいて、表示内容記憶部１２から読み出されて各ユーザ端末２に送信される。すなわち、操作部２２を用いたユーザの選択操作に基づいて、表示部２３に表示される表示内容が表示処理部１１１により自動で切り替えられる。
【００２８】
本実施形態では、複数種類の表示内容が表示内容記憶部１２に記憶されている。これらの表示内容は、予め作成して表示内容記憶部１２に記憶させることができる。表示内容は、例えばボタン、文字及びイメージ写真などの複数のモジュールが組み合わせられることにより作成されている。すなわち、表示内容を構成するモジュールは、画像により構成されるものであってもよいし、テキストにより構成されるものであってもよい。
【００２９】
ここで、モジュールとは、表示内容を構成するパーツであり、異なる表示内容に共通で使用することができる。すなわち、共通のモジュールを異なる組み合わせで他のモジュールと組み合わせることにより、共通のモジュールを含む複数種類の表示内容を構成し、それらの表示内容を選択的に表示部２３に表示させることができる。
【００３０】
上記表示内容は、提供者が全て手動で作成してもよいし、例えば自然言語処理などを用いて少なくとも一部を自動で作成してもよい。自然言語処理を用いる場合には、例えば１つの表示内容を手動で作成することにより、その表示内容に含まれるテキストについて自然言語処理を自動的に行い、テキスト部分が異なる複数パターンの表示内容を自動で作成するような構成であってもよい。このような処理は、モジュールごとに行うことが可能である。
【００３１】
例えば、「購入」というテキストを含むボタンがある表示内容を提供者が手動で作成した後、「おまかせ機能」を選択する操作を行ったとする。この場合、「購入」というテキストについて自然言語処理が行われることにより、例えば「買う」、「購入する」、「ゲットする」などのように、「購入」というテキストから連想される他のテキストが抽出される。そして、元の表示内容のテキストを抽出された各テキストに置き換えた表示内容が自動的に作成されることにより、テキスト部分が異なる複数パターンの表示内容が作成される。
【００３２】
このような自然言語処理を用いた表示内容の自動作成を実現するために、例えば複数種類のテキスト同士が関連付けられたデータベースがＡ／Ｂテストの測定管理システムに備えられていてもよい。当該データベースには、互いに連想されるテキスト同士が対応付けて記憶されており、１つのテキストが選択された場合に、そのテキストに対応付けられている１つ又は複数のテキストが抽出されるようになっていてもよい。ただし、Ａ／Ｂテストの測定管理システムが、外部に備えられたデータベースにネットワークＮを介してアクセスすることにより、自然言語処理を用いた表示内容の自動作成を実現するような構成であってもよい。
【００３３】
目標設定処理部１１２は、操作部１５を用いた提供者の設定操作に基づいて、目標の内容を設定する処理を行う。目標の内容としては、例えば商品の購入、資料請求、データのダウンロード又は会員登録などを設定することができる。これらの目標は、提供者が操作部１５を用いて任意に入力することができる。
【００３４】
上記のような目標は、ユーザ端末２の表示部２３の表示内容が切り替えられることにより達成される。すなわち、表示部２３に表示されている閲覧ページ中のボタンなどがユーザの選択操作により選択され、目標達成ページへと自動で切り替えられた場合に、その目標達成ページに対応する目標が達成される。閲覧ページ及び目標達成ページには、それぞれの表示回数をカウントするためのコードが埋め込まれる。これにより、閲覧ページの表示回数（閲覧回数）に対する目標達成ページの表示回数（目標達成回数）の割合を目標達成率（％）として算出することができる。
【００３５】
例えば、「商品の購入」という目標を設定した場合には、「買う」、「今すぐ買う」、「次へ」、「カートへ」などのボタンがモジュールとして含まれる閲覧ページを表示部２３に表示させることができる。この場合、閲覧ページに表示されているボタンの種類に応じてユーザに与える印象が異なるため、目標達成率はボタンの種類に応じて変化することとなる。
【００３６】
表示内容割当処理部１１３は、操作部１５を用いた提供者の設定操作に基づいて、設定された目標ごとに複数種類の表示内容（閲覧ページ）を割り当てる処理を行う。本実施形態では、目標設定処理部１１２により設定された目標ごとに、それぞれ異なる複数種類の表示内容を割り当てて、表示内容割当記憶部１３に記憶することができるようになっている。
【００３７】
分析処理部１１４は、表示処理部１１１により表示内容が切り替えられた結果に基づいて、目標ごとに目標達成率を分析する処理を行う。具体的には、分析処理部１１４は、表示内容割当記憶部１３に記憶されている各目標に対する閲覧ページの割り当てを参照し、各目標に割り当てられた各閲覧ページがユーザの選択操作に基づいて目標達成ページに自動で切り替えられることにより目標が達成された確率（目標達成率）を算出する。算出された目標達成率は、目標達成結果として目標ごとに対応付けて目標達成結果記憶部１４に記憶される。
【００３８】
このように、本実施形態では、設定された目標ごとに複数種類の表示内容を割り当て、それぞれの目標が達成された確率を目標達成結果として得ることができる。これにより、各目標を達成するために最適な表示内容を目標ごとに分析することができるため、その分析結果に基づいて表示内容を選択することにより、設定された各目標が達成される確率をより向上させることができる。
【００３９】
表示頻度変更処理部１１５は、複数種類の表示内容が表示部２３に表示される頻度を目標ごとに変更する処理を行う。具体的には、表示頻度変更処理部１１５は、目標達成結果記憶部１４に記憶されている目標達成結果に基づいて、各目標において目標達成率が高い閲覧ページほど表示頻度を高く設定する。表示処理部１１１は、表示頻度変更処理部１１５により変更された表示頻度に基づいて、閲覧ページをユーザ端末２の表示部２３に表示させることにより、ユーザの選択操作の統計に基づいて表示部２３に表示させる表示内容を自動で切り替える。
【００４０】
このように、本実施形態では、得られた目標達成結果に基づいて、各目標が達成される確率が高い表示内容（閲覧ページ）を選択し、その表示内容が表示部２３に表示される頻度を高く設定することができる。したがって、目標ごとに特定の表示内容の表示頻度を変更することにより、設定された各目標が達成される確率を効果的に向上させることができる。
【００４１】
表示頻度変更処理部１１５は、所定の期間中だけ特定の表示内容の表示頻度を変更するような構成であってもよい。例えば、提供者がテストを開始する操作を行った後、表示内容を確定する操作を行うまでのテスト期間中に、表示頻度変更処理部１１５が特定の表示内容の表示頻度を変更するような構成であってもよい。この場合、テスト期間の初期段階では、表示頻度変更処理部１１５による処理を行わず、各表示内容を均等な割合でランダムに表示させてもよい。上記初期段階は、表示回数が一定値に達したときに終了してもよいし、一定時間が経過したときに終了してもよい。
【００４２】
目標達成結果出力処理部１１６は、目標達成結果記憶部１４に記憶されている目標達成結果を目標ごとに出力する処理を行う。本実施形態では、目標達成結果出力処理部１１６は、目標達成結果を目標ごとに表示部１６に表示させることができる。ただし、目標達成結果出力処理部１１６は、表示に限らず、印刷やデータ出力などの他の態様で目標達成結果を目標ごとに出力するような構成であってもよい。
【００４３】
提供者は、出力された目標達成結果を目標ごとに確認することにより、各目標を達成するために最適な表示内容を目標ごとに容易に分析することができる。したがって、分析結果に基づいて、目標ごとに特定の表示内容の表示頻度を変更すれば、設定された各目標が達成される確率を効果的に向上させることができる。
【００４４】
図２は、目標達成結果を目標ごとに表示部１６に表示させる際の態様の一例を示した図である。本実施形態では、それぞれ異なるモジュールが組み合わせられた複数種類の表示内容ごとの目標達成結果が、目標達成結果記憶部１４に記憶されている。
【００４５】
図２（ａ）の例では、目標１には表示内容Ａ及び表示内容Ｂなどが割り当てられており、目標２には表示内容Ｂ及び表示内容Ｃなどが割り当てられている。各表示内容Ａ，Ｂ，Ｃ，・・・は、それぞれ異なるモジュールが組み合わせられた表示内容であり、表示内容ごとの目標達成率（％）が、目標達成結果として各目標１，２，・・・に対応付けて記憶されている。
【００４６】
ここで、目標１における表示内容Ｂの目標達成率は、表示内容Ｂにより目標１が達成された確率であり、目標２における表示内容Ｂの目標達成率は、表示内容Ｂにより目標２が達成された確率である。したがって、共通の表示内容Ｂであっても、目標１と目標２とで目標達成率は異なる値となる。
【００４７】
例えば、目標１についての表示内容ごとの目標達成結果が、目標達成結果記憶部１４から読み出されて表示部１６に表示される場合には、図２（ｂ）に示すように、目標１に割り当てられている表示内容Ａ，Ｂ，・・・ごとに目標達成率（％）が表示される。各表示内容には、例えばボタン、文字及びイメージ写真などの複数のモジュールが含まれる。このように、それぞれ異なるモジュールが組み合わせられた複数種類の表示内容ごとに目標達成結果が得られる場合には、最適な表示内容を表示内容単位で分析することができる。
【００４８】
本実施形態では、各目標に対応付けられている表示内容ごとに、各表示内容の表示頻度（％）が表示部１６に表示されるとともに、提供者が操作部１５を操作することにより、各表示内容の表示頻度を確定又は変更することができるようになっている。表示部１６には、各目標に対応付けられている表示内容ごとに、例えば確定ボタン１６１及び変更ボタン１６２が表示される。
【００４９】
提供者は、各表示内容に対応付けて表示されている目標達成率を確認することにより、目標を達成するために最適な表示内容を分析することができる。そして、特定の表示内容に対応付けられた確定ボタン１６１を提供者が選択すれば、その表示内容を常に（１００％の表示頻度で）表示させることが確定し、テスト期間が終了する。ただし、特定の表示内容を常に表示させることを確定するための確定ボタン１６１を設けるのではなく、特定の表示内容を表示させなくするための削除ボタンを設けてもよい。
【００５０】
また、提供者は、特定の表示内容に対応付けられた変更ボタン１６２を選択することにより、その表示内容の表示頻度を上げたり、下げたりすることができる。表示内容ごとに表示頻度が異なる場合であっても、目標達成率は各表示内容の閲覧回数に対する目標達成回数の割合で算出されるため、目標達成率の評価を正当に行うことができる。
【００５１】
図３は、目標達成結果を目標ごとに表示部１６に表示させる際の態様の他の例を示した図である。本実施形態では、図２において説明したような表示内容ごとの目標達成結果だけでなく、複数のモジュールごとの目標達成結果も目標達成結果記憶部１４に記憶されている。
【００５２】
図３（ａ）の例では、目標１にモジュールａ及びモジュールｂなどのモジュールごとの目標達成率が対応付けられ、目標２にモジュールｂ及びモジュールｃなどのモジュールごとの目標達成率が対応付けられている。このように、各目標１，２，・・・にそれぞれ異なるモジュールが対応付けられ、モジュールごとの目標達成率が、目標達成結果として各目標１，２，・・・に対応付けて記憶されている。
【００５３】
ここで、目標１におけるモジュールｃの目標達成率は、モジュールｃを含む表示内容により目標１が達成された確率であり、目標２におけるモジュールｃの目標達成率は、モジュールｃを含む表示内容により目標２が達成された確率である。したがって、共通のモジュールｃであっても、目標１と目標２とで目標達成率は異なる値となる。
【００５４】
例えば、目標１についてのモジュールごとの目標達成結果が、目標達成結果記憶部１４から読み出されて表示部１６に表示される場合には、図３（ｂ）に示すように、目標１に対応付けられているモジュールａ，ｃ・・・ごとに目標達成率（％）が表示される。例えば、目標１が「商品の購入」である場合には、各モジュールａ，ｃ・・・として、「買う」、「今すぐ買う」、「次へ」、「カートへ」などのボタンを例示することができる。
【００５５】
図４は、モジュールごとに目標達成結果を分析する際の態様について説明するための図である。図４（ａ）及び（ｂ）に示す表示内容には、共通のボタンがモジュール１６０ａとして含まれているが、異なるイメージ写真がモジュール１６０ｂ，１６０ｃとして組み合わせられることにより、それぞれ異なる表示内容となっている。また、図４（ｂ）及び（ｃ）に示す表示内容には、共通のイメージ写真がモジュール１６０ｃとして含まれているが、異なるボタンがモジュール１６０ａ，１６０ｄとして組み合わせられることにより、それぞれ異なる表示内容となっている。
【００５６】
図３において説明したように、複数のモジュールごとに目標達成結果が得られる場合には、最適な表示内容をモジュール単位で分析することができる。この場合、共通のモジュールを含む表示内容については、他のモジュールが異なる場合であっても、その共通のモジュールごとに目標達成結果が得られるため、各モジュールが目標の達成に与える影響を精度よく分析することができる。
【００５７】
すなわち、図４（ａ）及び（ｂ）の例では、表示内容に共通のボタンがモジュール１６０ａとして含まれるため、他のモジュール１６０ｂ，１６０ｃが異なる場合であっても、共通のモジュール１６０ａごとの目標達成結果が得られる。同様に、図４（ｂ）及び（ｃ）の例では、表示内容に共通のイメージ写真がモジュール１６０ｃとして含まれるため、他のモジュール１６０ａ，１６０ｄが異なる場合であっても、共通のモジュール１６０ｃごとの目標達成結果が得られる。
【００５８】
再び図３を参照して、本実施形態では、各目標に対応付けられているモジュールごとに、各モジュールの表示頻度（％）が表示部１６に表示されるとともに、提供者が操作部１５を操作することにより、各モジュールの表示頻度を確定又は変更することができるようになっている。表示部１６には、各目標に対応付けられているモジュールごとに、例えば確定ボタン１６３及び変更ボタン１６４が表示される。
【００５９】
提供者は、各モジュールに対応付けて表示されている目標達成率を確認することにより、目標を達成するために最適なモジュールを分析することができる。そして、特定のモジュールに対応付けられた確定ボタン１６３を提供者が選択すれば、そのモジュールを常に（１００％の表示頻度で）表示させることが確定する。この場合、その後に図２（ｂ）に示すような表示内容ごとの目標達成率を表示部１６に表示させた際には、確定された特定のモジュールを含む表示内容の目標達成率のみが表示されることとなる。ただし、特定のモジュールを常に表示させることを確定するための確定ボタン１６３を設けるのではなく、特定のモジュールを表示させなくするための削除ボタンを設けてもよい。
【００６０】
また、提供者は、特定のモジュールに対応付けられた変更ボタン１６４を選択することにより、そのモジュールを含む表示内容の表示頻度を上げたり、下げたりすることができる。モジュールごとに表示頻度が異なる場合であっても、目標達成率は各モジュールを含む表示内容の閲覧回数に対する目標達成回数の割合で算出されるため、目標達成率の評価を正当に行うことができる。
【００６１】
ただし、図２において説明したような表示内容ごとの目標達成結果、又は、図３において説明したようなモジュールごとの目標達成結果のいずれか一方だけが、目標達成結果記憶部１４に記憶され、当該目標達成結果が目標ごとに表示部１６に表示されるような構成であってもよい。
【００６２】
図５は、目標を設定する際の制御部１１による処理の一例を示したフローチャートである。目標を設定する際には、目標設定画面が表示部１６に表示され、当該目標設定画面において提供者が操作部１５を操作することにより目標を入力する。目標は、複数設定することができ、目標設定画面において任意に追加又は削除することができる。
【００６３】
提供者が操作部１５を操作することにより目標が入力された場合には（ステップＳ１０１でＹｅｓ）、その目標の内容が目標設定処理部１１２により設定される（ステップＳ１０２：目標設定ステップ）。そして、設定された目標に対応付けて表示内容を選択する操作が行われた場合には（ステップＳ１０３でＹｅｓ）、その選択された表示内容が表示内容割当処理部１１３により当該目標に割り当てられ、表示内容割当記憶部１３に記憶される（ステップＳ１０４：表示内容割当ステップ）。
【００６４】
提供者は、表示内容を選択する操作を繰り返し行うことにより、設定された目標に複数種類の表示内容を割り当てることができる。そして、提供者が操作部１５を操作することにより、表示内容の選択を終了した場合には（ステップＳ１０５でＹｅｓ）、その時点で目標に対する表示内容の割り当てが終了する。提供者は、ステップＳ１０１〜Ｓ１０５の処理を繰り返し行うことにより、複数の目標を設定することができる。
【００６５】
図６は、ユーザ端末２の表示部２３に表示させる表示内容を切り替える際の制御部１１による処理の一例を示したフローチャートである。ユーザ端末２の表示部２３には、表示内容としての閲覧ページが表示処理部１１１により表示される（ステップＳ２０１）。このとき表示される閲覧ページは、目標ごとに表示頻度変更処理部１１５により変更された表示頻度で表示されることとなる。
【００６６】
そして、ユーザ端末２の操作部２２をユーザが操作することにより、表示内容を切り替えるための指示が行われた場合には（ステップＳＳ２０２でＹｅｓ）、表示処理部１１１により、その指示に応じた表示内容に切り替えられる（ステップＳ２０３）。これらのステップＳ２０１〜Ｓ２０３の処理は、表示処理部１１１による表示ステップを構成している。
【００６７】
その後、表示内容が切り替えられた結果に基づいて、分析処理部１１４により目標ごとに目標達成率が算出される。そして、算出された目標達成率が目標ごとに対応付けて目標達成結果記憶部１４に記憶されることにより、目標達成結果が更新される（ステップＳ２０４：目標達成結果記憶ステップ）。
【００６８】
このとき、閲覧ページから目標達成ページに切り替えられた場合には、当該閲覧ページとしての表示内容、及び、当該表示内容に含まれるモジュールにそれぞれ対応する目標達成率が高い値に更新される。一方、閲覧ページから目標達成ページ以外のページに切り替えられた場合には、当該閲覧ページとしての表示内容、及び、当該表示内容に含まれるモジュールにそれぞれ対応する目標達成率が低い値に更新される。
【００６９】
ただし、閲覧ページから目標達成ページに切り替えられたときに目標達成率を高い値に更新し、閲覧ページから目標達成ページ以外のページに切り替えられた場合に目標達成率を低い値に更新するような構成に限らず、目標達成の有無に応じて閲覧ページ（テスト対象ページ）にスコアをつけるような構成などであってもよい。この場合、閲覧ページから目標達成ページに切り替えられることにより目標が達成された場合には、その閲覧ページにスコアをつける一方で、閲覧ページから目標達成ページ以外のページに切り替えられることにより目標が達成されなかった場合には、その閲覧ページにネガティブスコアをつけるような構成であってもよい。
【００７０】
また、目標達成ページが表示されたときに目標が達成されたと判断されるような構成に限らず、例えば特定のボタンが選択されるなどの他のトリガーに基づいて、目標が達成されたと判断されるような構成であってもよい。さらに、目標が達成されるか否かの判断だけでなく、ユーザ端末２を使用するユーザの情報を加味すれば、より正確な分析を行うことが可能になる。上記ユーザの情報には、例えば年齢、性別などの分類情報や、購入履歴などの個人情報が含まれていてもよい。
【００７１】
本発明に係るＡ／Ｂテストの測定管理システムは、ウェブページの内容を表示させるためのシステムの他、例えばアプリケーションソフトにより携帯情報端末の表示部に表示内容を表示させるようなシステムなど、他の各種システムに適用することができる。
【００７２】
また、上述のようなＡ／Ｂテストの測定管理システムのサーバ１としてコンピュータを機能させるためのプログラム（Ａ／Ｂテストの測定管理プログラム）を提供することも可能である。この場合、前記プログラムは、記憶媒体に記憶された状態で提供されるような構成であってもよいし、プログラム自体が提供されるような構成であってもよい。
【符号の説明】
【００７３】
１    サーバ
２    ユーザ端末
１１    制御部
１２    表示内容記憶部
１３    表示内容割当記憶部
１４    目標達成結果記憶部
１５    操作部
１６    表示部
２１    制御部
２２    操作部
２３    表示部
２４    記憶部
１１１    表示処理部
１１２    目標設定処理部
１１３    表示内容割当処理部
１１４    分析処理部
１１５    表示頻度変更処理部
１１６    目標達成結果出力処理部
１６０ａ〜１６０ｄ  モジュール
１６１    確定ボタン
１６２    変更ボタン
１６３    確定ボタン
１６４    変更ボタン
【図１】
2015225361.tif 000003
【図２】
2015225361.tif 000004
【図３】
2015225361.tif 000005
【図４】
2015225361.tif 000006
【図５】
2015225361.tif 000007
【図６】
2015225361.tif 000008